(57)【特許請求の範囲】
【請求項１】
上面にはハンドル１１ａを設けた湾曲状の回動蓋１１ｂがあり空ビンを投入する投入口１１ｄを形成し、錠前２ｅを有する片開きの開閉扉２ｂが開閉可能に取り付けるとともに放熱し冷却するための開口部２ｆを設け、前記錠前２ｅの左方にはモータ９をオン又はオフするスイッチ８が取り付けた枠体２ａと、前記枠体２ａ内に挿入口５ｍを形成するとともに破砕片を落下させるための振動機１２を取り付け多数の貫通孔５ｂを形成し、使用時に変形しないようにするための保持棒５ｃ、補強し破砕片がスムーズに移動できるようにするための補助板及び横方向に支持棒５ｄを設け、破砕された空ビン４の破砕片４ａが流れ出していくための流出孔５ｎを設けた収納部５ａとラッパ状の開口縁５ｊがある開口部５ｅ間に仕切りを設けて凹部を形成した略植木鉢型の破砕用籠５の前記凹部５ｏに空ビン４を破砕する略Ｌ字型で一端が中心にある軸７に向くように破砕突起６ｂが外周部に円状に突設させるとともに前記軸７を囲むようにして前記破砕突起６ｂの内方に複数等間隔に円形状に台形状の粉砕突起６ｃを突設し、設置したモータ９により駆動する回転板６ａを回転可能に取り付けた前記破砕用籠５を挿入設置し、下方に破砕された破砕片４ａが落下するための落下孔６ｄ及び受部３内に連通孔６が穿設されている収納筒体６とからなる破砕部２の下部に、緩衝材１３を設けて前記破砕部２で破砕された破砕片４ａを収納する破砕片収納箱３ａを取り出し可能に設けた受部３を連設したことを特徴とする空ビン破砕機。
【発明の詳細な説明】
【０００１】
【発明が属する技術分野】
本発明は、各家庭、飲食店等からゴミとして出されるビール瓶、ジュースの空き瓶、酒等が入っていたガラス製の空ビンを破砕する破砕機の改良に関する発明である。
【０００２】
【従来の技術】
従来のビンの破砕に使用する破砕機は、ガラス製の空き瓶を投入する投入口は、大きく、ビンを破砕する刃が収納された破砕部が占める体積の割合も大きかった。例えば、公開特許公報昭５３−８８６７の公報に記載された「ビン類などの破砕装置」である。
【０００３】
このように、従来のビン類などの破砕装置は、回転刃を回転せしめて固形物を破砕するようにした破砕機の排出口下部に、濾過枠と濾過板よりなる着脱自在な濾過器を抜き出し自在に装設された瓶類の破砕装置である。
【０００４】
前記濾過器の濾過板は、前端から後端に渡って中央部分が低く、両側に向かって上昇し、回転刃の回転後方傾斜面の傾斜角が大きくなるように形成され、多数の棒剤を簣の子状に配設し、多数の排出孔を突設し、濾過器が濾過器の抜き方向に対し下方に傾斜した案内レールに沿って抜き出しされ、差し込み位置で案内レールに出没自在なカム部材によって水平に保持されることを特徴とする装置である。
【０００５】
【発明が解決しようとする課題】
しかし、従来の発明である公開特許公報昭５３−８８６７の公報に記載された「ビン類などの破砕装置」は、破砕刃群が背面に対し直角方向に設けているため長手方向に対し枠全体が大きくなり、破砕刃群も破砕を行うコンテナ内で刃とビン類の投入場所が区画分けされていないため、ビン類の投入スペースが狭くなるという問題がある。
【０００６】
また、従来の発明である「前記ビン類などの破砕装置」を振動させる緩衝器も大きいために装置そのものが大型化し、設置場所も広い場所を確保しなければならないという欠点もある。
【０００７】
そこで、本発明は、従来の発明である「ビン類などの破砕装置」のように破砕刃群が背面に対し直角方向に設けることなく、フレームも小さく、破砕刃群も破砕を行うコンテナ内で区画分けし、ビン類の投入量が増加でき、かつ緩衝器を小型化することで狭い設置場所でも使用できる空ビン破砕機を提供することを目的とするものである。
【０００８】
【課題を解決するための手段】
【課題を解決するための手段】
そこで、本発明は、上記の問題を解決するために、上面にはハンドル１１ａを設けた湾曲状の回動蓋１１ｂがあり空ビンを投入する投入口１１ｄを形成し、錠前２ｅを有する片開きの開閉扉２ｂが開閉可能に取り付けるとともに放熱し冷却するための開口部２ｆを設け、前記錠前２ｅの左方にはモータ９をオン又はオフするスイッチ８が取り付けた枠体２ａと、前記枠体２ａ内に挿入口５ｍを形成するとともに破砕片を落下させるための振動機１２を取り付け多数の貫通孔５ｂを形成し、使用時に変形しないようにするための保持棒５ｃ、補強し破砕片がスムーズに移動できるようにするための補助板及び横方向に支持棒５ｄを設け、破砕された空ビン４の破砕片４ａが流れ出していくための流出孔５ｎを設けた収納部５ａとラッパ状の開口縁５ｊがある開口部５ｅ間に仕切りを設けて凹部を形成した略植木鉢型の破砕用籠５の前記凹部５ｏに空ビン４を破砕する略Ｌ字型で一端が中心にある軸７に向くように破砕突起６ｂが外周部に円状に突設させるとともに前記軸７を囲むようにして前記破砕突起６ｂの内方に複数等間隔に円形状に台形状の粉砕突起６ｃを突設し、設置したモータ９により駆動する回転板６ａを回転可能に取り付けた前記破砕用籠５を挿入設置し、下方に破砕された破砕片４ａが落下するための落下孔６ｄ及び受部３内に連通孔６が穿設されている収納筒体６とからなる破砕部２の下部に、緩衝材１３を設けて前記破砕部２で破砕された破砕片４ａを収納する破砕片収納箱３ａを取り出し可能に設けた受部３を連設したことを特徴とする空ビン破砕機の構成とした。
【０００９】
【実施例】
そこで、本発明である空ビン破砕装置について、添付図面に基づき詳細を説明する。図１は本発明である空ビン破砕機の正面図、図２は本発明である空ビン破砕機の左側面図、図３は本発明である空ビン破砕機の右側面図、図４は本発明である空ビン破砕機の平面図を示したものである。
【００１０】
図１〜図４に示すように、本発明である空ビン破砕機１は、空ビンを破砕する破砕部２と破砕された破砕片を受け取り収納する受部３とからなる。破砕部２は、枠体２ａと枠体２ａ内に設けられている収納筒体６と収納筒体６内に取り付ける破砕用籠５と、収納筒体６の内方に設置されていて複数の突起を設けモータ９により回転する回転板６ａとからなる。
【００１１】
先ず、破砕部２について、図１〜図４に基づき詳細を説明する。図１に示したように、空ビン破砕機１は、破砕部２と受部３からなる。破砕部２は、枠体２ａと枠体２ａ内に収納した収納筒体６と空ビン４を収納し破砕するための破砕用籠５からなる。収納筒体６には、回転板６ａ、軸７、モータ９が取り付けられ、破砕用籠５を嵌合する。
【００１２】
枠体２ａには、片開きの開閉扉２ｂが蝶番２ｃ、２ｄにより、枠体２ａに開閉可能に取り付けられている。開閉扉２ｂが、勝手に開くことがないように、錠前２ｅが枠体２ａに取り付けられいる。錠前２ｅの左方には、スイッチ８が取り付けられている。
【００１３】
スイッチ８は、回転板６ａのモータ９の回転軸を回転させるためのスイッチである。ボタン式のスイッチ８には、上ボタンをＯＮボタン８ａ、下ボタンをＯＦＦボタン８ｂがある。
【００１４】
図１に示したように、受部３は、破砕部２の下部に連設されている。受部３内は中空に形成されていて、受部３内には破砕された空ビン４の破砕片を収納するための破砕片収納箱３ａが置かれている。符号３ｂは縦枠、符号３ｃは中枠、符号３ｄは底板を示す。底板３ｄ上には、破砕片収納箱３ａが置かれている。
【００１５】
図２及び図３に示すように、破砕部２の下部には、切り抜いて開口部２ｆが形成されている。これは、駆動するモータ９から発生する熱を放熱し、モータ９を冷却するための開口部である。
【００１６】
枠体２ａの開口部２ｆの近くに設置されているモータ９の回転軸に取り付けたリム９ａにはベルト１０が懸架されていて、破砕部２内に設置されている収納筒体６の内方にある回転板６ａを回転させる。図２に示した符号１３は、緩衝材１３であり、破砕部２の振動が受部３に直接伝達することがないように、破砕部２と受部３との間に取り付けてある。
【００１７】
図４に示すように、破砕部２の枠体２ａの上面には投入部１１がある。投入部１１は、ハンドル１１ａがある回動蓋１１ｂと投入口１１ｄからなり、投入部１１には空ビン４を破砕するために投入する投入口１１ｄが形成されている。図４では、投入口１１ｄが回動蓋１１ｂにより閉じられている。
【００１８】
空ビン４を回動蓋１１ｂを開けて、投入口１１ｄから投入して回動蓋１１ｂを回動させて投入口１１ｄを閉じることにより、空ビン４の破砕片が投入口１１ｄから飛び出ることを防止することができる。
【００１９】
回動蓋１１ｂには、ハンドル１１ａが取り付けられているとともに、全体的に断面形状が湾曲状である。回動蓋１１ｂの先端部は、破砕部２の内方に向かって回動する。
【００２０】
図５は破砕部の開閉扉を開けた状態を示した図である。図５に示しすように、破砕部２内には収納筒体６が設置してあり、収納筒体６内には破砕用籠５が挿入できる。収納筒体６の奥には、回転板６ａが軸７に回転可能に設置されている。
【００２１】
収納筒体６の内面の左右の対称位置には、破砕用籠５を収納筒体６内に挿入し易くするとともに破砕用籠５を支持する断面形状が逆Ｔ字状の左右ガイド６ｅ、６ｆが設置されている。左右ガイド６ｅ、６ｆは、収納筒体６の奥に設置されている回転板６ａの近くまで延びている。
【００２２】
略円筒状で奥に行くに従ってやや小径に形成されているの収納筒体６の奥に回転可能に設置されている回転板６ａの表面には、投入口から投入された空ビン４を破砕、粉砕するために破砕突起６ｂ及び粉砕突起６ｃが起立するように突設する。
【００２３】
円盤状の回転板６ａの外周部には、投入された空ビン４を粉砕するための略Ｌ字型に形成されている破砕突起６ｂ、６ｂ、６ｂ、６ｂ・・・・・・が、外周部に沿って円状に等間隔に突設してある。回転板６ａの表面に突設する各粉砕突起６ｃ、６ｃ、６ｃ・・・の形状は略台形状であり、各破砕突起６ｂの一端は中心にある軸７に向くように突設していている。破砕突起６ｂの一端は、約４５度中心方向を向いている。
【００２４】
回転板６ａの表面には、破砕突起６ｂ、６ｂ・・・の他に投入された空ビン４を粉砕するための粉砕突起６ｃ、６ｃ、６ｃ・・・が中心にある回転板６ａを固定している軸７を囲むようにして、破砕突起６ｂの内方に複数等間隔に円形状に突設する。これらの破砕突起６ｂは、筒状に突出する。形状は、円筒状、四角形状、多角形状のいずれの形状であってもよい。
【００２５】
破砕突起６ｂは、投入された空ビン４を粒状に破砕する機能があり、粉砕突起６ｃは粒状に破砕された破砕片を更に破砕し粉状にするための機能があり、両方の突起６ｂ、６ｃにより空ビン４が粉砕されるのである。
【００２６】
図６は、図５中に示したＡ−Ａに沿った縦断面図である。図６に示すように、収納筒体６の内方に回転可能に設置されている回転板６ａの背面に突出している軸７に取り付けられているプーリーにモータ９のベルト１０が懸架されていて、モータ９が駆動しモータ９の回転軸が回転し、回転力がベルト１０に伝わりプーリーを回転すると連動して回転板６ａが回転する。
【００２７】
収納筒体６の下方には、破砕された空ビン４が破砕された破砕片が破砕片収納箱３ａ内に落下させるための落下孔６ｄが形成されているとともに、受部３内に連通させるための連通孔６ｇが形成されている。
【００２８】
回動蓋１１ｂは、取付軸１１ｅを中心にして矢印に示すように、ハンドル１１ａを操作することにより回動する。回動蓋１１ｂには、湾曲状に形成されていて、破砕片が飛び出すことがないように覆い蓋１１ｃが取り付けられている。
【００２９】
図７は、破砕部内に設置してある収納筒体内に破砕用籠を挿入し設置した図である。図７に示すように、破砕用籠５は、収納筒体６内に挿入し設置することができる。収納筒体６の内壁面に内方に突出する左右ガイド６ｅ、６ｆに案内されるとともに支持されて設置される。
【００３０】
破砕用籠５の外側には、破砕用籠５を振動させる振動機１２が固定されている。振動機１２を駆動させることにより、破砕用籠５から容易に破砕片を落下させることができるようになり、破砕片が破砕用籠５に留まり、破砕用籠５内に破砕片が堆積してしまうことを防止することができる。
【００３１】
また、破砕用籠５の左外側には縦断面形状がＬ字型の係止部材５ｆが形成されているととも、右外側には縦断面形状がＬ字型の係止部材５ｆが形成されている。この係止部材５ｆ、５ｆは、収納筒体６の内面に形成されている左右ガイド６ｅ、６ｆに係止し、破砕用籠５が収納筒体６内に揺動することがなく設置することができる。
【００３２】
破砕用籠５には、破砕用籠５が使用時に変形したりすることがないように、横方向に保持棒５ｃが固定されている。符号５ｋは、収納筒体６内に設置した破砕用籠５が使用時に、設置した収納筒体６内から外れて外に飛び出すことがないようにするためのストッパーである。
【００３３】
このストッパー５ｋは、破砕用籠５を収納筒体６内に設置した後に収納筒体６内に破砕用籠５を押圧するように取り付けるものである。ストッパー５ｋには、手で握りやすくするために半円形状に形成した把っ手５ｌが設けてある。
【００３４】
以下に、本発明である空ビン破砕機に収納して使用する破砕用籠の詳細について、図８〜図１２の図面に基づいて説明を行う。図８は本発明である空ビン破砕機に使用する破砕用籠の正面図、図９はその破砕用籠の背面図、図１０はその破砕用籠の左側面図、図１１はその破砕用籠の右側面図、図１２は破砕用籠の平面図である。
【００３５】
図８〜図１１に示したように、破砕用籠５は、図１０及び図１１に示すように、略植木鉢型の形状に形成されている。そして、破砕用籠５は、破砕用籠５が変形するのを防止するための保持棒５ｃが固定されている収納部５ａと、収納部５ａの外側に固定されている振動機１２と、破砕用籠５を収納筒体６内に挿入した場合に脱外するのを防ぐためのストッパー５ｋとからなる。
【００３６】
図８に示すように、略植木鉢型の破砕用籠５の収納部５ａは、略球体型であり、収納部５ａには多数の貫通孔５ｂ、５ｂ、５ｂが形成されているとともに、収納部５ａの右上方には振動機１２が固定されている。そして、収納部５ａの中央に左右方向に保持棒５ｃが固定されている。振動機１２にはプラグが付いている電源コード１２ａがある。
【００３７】
図９は、破砕用籠５の背面図である。図９に示すように、収納部５ａには開口部５ｅが連設されている。開口部５ｅは円形状に形成されていて、開口部５ｅの開口縁５ｊの左縁及び右縁には、それぞれ切欠溝５ｐ、５ｑが形成されている。
【００３８】
そして、開口部５ｅの開口縁５ｊの内方には収納部５ａと開口縁５ｊとを仕切るための仕切り５ｉが設けられている。開口部５ｅの開口縁５ｊは、ラッパ状に形成されていて、開口縁５ｊの内方と仕切り５ｉには、凹部５ｏが形成されていている。凹部５ｏには、回転板６ａが収納できる大きさに形成されている。
【００３９】
そして、仕切り５ｉの下方には円形状の流出孔５ｎが穿設されている。この流出孔５ｎを通り、凹部５ｏで破砕された空ビン４の破砕片が収納部５ａに流れ出していく。
【００４０】
図１０及び図１１に示すように、略植木鉢型の破砕用籠５の左右側面には、係止部材５ｆ、５ｆが設けらている。この係止部材５ｆ、５ｆは、収納筒体６内に破砕用籠５を挿入した場合に、収納筒体６内面に設けられている左右ガイド６ｅ、６ｆに係止する。
【００４１】
図１０中に示した符号５ｇは補助板であり、この補助板５ｇは収納部５ａの一部に取り付けられていて、収納部５ａ全体の強度を補強するとともに、破砕片がスムーズに移動できるようにするためのものである。
【００４２】
図１０及び図１１中に示した符号５ｍは空ビン４を収納部５ａ内に落下させるための挿入口である。また、符号５ｈはカバーを示している。このカバー５ｈは、破砕片が飛散するのを防止する役割がある。更に、符号５ｄは支持棒を示し、収納部５ａの開口部５ｅを取り付けるための棒である。
【００４３】
図１２は、破砕用籠内に空ビンを投入している状態を示した図である。図１２に示すように、収納部５ａに形成されている挿入口５ｍより破砕しようとする空ビン４を入れる。
【００４４】
図１３は本発明である空ビン破砕機の破砕部と受部間に取り付ける緩衝材の正面図、図１４はさの緩衝材の平面図である。図１３及び図１４に示すように、緩衝材１３は、弾力性のある素材からなり、略直方体形状である。胴部１３ａの外周面は内方に窪んでいる。
【００４５】
緩衝材１３は、胴部１３ａと上下突出筒１３ｂ、１３ｃからなる。胴部１３ａの上面には上方に上突出筒１３ｂを突設するとともに、胴部１３ａの下面には下突出筒１３ｂを垂設させた構造である。
【００４６】
図１５は、本発明である空ビン破砕機により空ビンを破砕する状態を明確にするための縦断面図である。先ず、本発明である空ビン破砕機１により破砕しようとする空ビン４を投入部１１に形成されている投入口１１ｄから破砕用籠５の補助板５ｇに接触するまで挿入する。
【００４７】
破砕用籠５の収納部５ａ内に入れられた空ビン４は、破砕用籠５の仕切り５ｉに形成されている流出孔５ｎから回転板６ａに近づくと、破砕突起６ｂ及び粉砕突起６ｃに接触して粉々になると、その破砕片は流出孔５ｎを通り収納部５ａ内に流れ出る。
【００４８】
そして、破砕用籠５の収納部５ａに形成されている多数の貫通孔５ｂ、５ｂ・・・から落下し、受部３内に設置されている破砕片収納箱３ａ内に落下して収納される。符号４ａは破砕片及び符号４ｂは粉砕片である。
【００５０】
【発明の効果】
本発明は、以上に説明したような構成であるから以下の効果が得られる。第１に、本願発明である空ビン破砕機は、従来の発明であるビン類などの破砕装置のように破砕刃群が背面に対し直角方向に設けることなく枠も小さくできる空ビン破砕機である。
【００５１】
第２に、破砕刃群も破砕を行うコンテナ内で区画分けすることで、ビン類の投入量が増加し、かつ、緩衝器も小型化することで狭い設置場所でも使用でき設置場所を問わない。
【図面の簡単な説明】
【図１】本発明である空ビン破砕機の正面図である。
【図２】本発明である空ビン破砕機の左側面図である。
【図３】本発明である空ビン破砕機の右側面図である。
【図４】本発明である空ビン破砕機の平面図である。
【図５】本発明である空ビン破砕機の開閉口を開いた正面図である。
【図６】本図は、図５中に示したＡ−Ａに沿った縦断面図である。
【図７】本発明である空ビン破砕機に破砕用籠を嵌合し開閉口を開いた状態である。
【図８】本発明である空ビン破砕機に嵌合する破砕用籠の正面図である。
【図９】本発明である空ビン破砕機に嵌合する破砕用籠の背面図である。
【図１０】本発明である空ビン破砕機に嵌合する破砕用籠の左側面図である。
【図１１】本発明である空ビン破砕機に嵌合する破砕用籠の右側面図である。
【図１２】本発明である空ビン破砕機に嵌合する破砕用籠の平面図である。
【図１３】本発明である空ビン破砕機に使用する緩衝材の正面図である。
【図１４】本発明である空ビン破砕機に取り付ける緩衝材の平面図である。
【図１５】本発明である空ビン破砕機により空ビンを破砕している状態を示した縦断面図である。
【符号の説明】
１          空ビン破砕機
２          破砕部
２ａ        枠体
２ｂ        開閉扉
２ｃ        蝶番
２ｄ        蝶番
２ｅ        錠前
２ｆ        開口部
３          受部
３ａ        破砕片収納箱
３ｂ        縦枠
３ｃ        中枠
３ｄ        底板
４          空ビン
４ａ        破砕片
４ｂ        粉砕片
５          破砕用籠
５ａ        収納部
５ｂ        貫通孔
５ｃ        保持棒
５ｄ        支持棒
５ｅ        開口部
５ｆ        係止部材
５ｇ        補助板
５ｈ        カバー
５ｉ        仕切り
５ｊ        開口縁
５ｋ        ストッパー
５ｌ        把っ手
５ｍ        挿入口
５ｎ        流出孔
５ｏ        凹部
５ｐ        切欠溝
５ｑ        切欠溝
６          収納筒体
６ａ        回転板
６ｂ        破砕突起
６ｃ        粉砕突起
６ｄ        落下孔
６ｅ        左ガイド
６ｆ        右ガイド
６ｇ        連通孔
７          軸
８          スイッチ
８ａ        ＯＮボタン
８ｂ        ＯＦＦボタン
９          モータ
９ａ        リム
１０        ベルト
１１        投入部
１１ａ      ハンドル
１１ｂ      回動蓋
１１ｃ      覆い蓋
１１ｄ      投入口
１１ｅ      取付軸
１２        振動機
１２ａ      電源コード
１３        緩衝材
１３ａ      胴部
１３ｂ      上突出筒
１３ｃ      下突出筒
【図１】
0003572518.tif 000002
【図２】
0003572518.tif 000003
【図３】
0003572518.tif 000004
【図４】
0003572518.tif 000005
【図５】
0003572518.tif 000006
【図６】
0003572518.tif 000007
【図７】
0003572518.tif 000008
【図８】
0003572518.tif 000009
【図９】
0003572518.tif 000010
【図１０】
0003572518.tif 000011
【図１１】
0003572518.tif 000012
【図１２】
0003572518.tif 000013
【図１３】
0003572518.tif 000014
【図１４】
0003572518.tif 000015
【図１５】
0003572518.tif 000016